(57)【要約】      （修正有）【課題】マスクに関するもので、特に口・鼻を被覆する時に口腔の異常な匂いが鼻中へ直接に進入することを、避けることができるマスクを提供する。【解決手段】自身の口中からの異常な匂いの吸入を防止するマスクは、相対する被覆面および第１の結合面を有する第１の片体１１と、第２の結合面を有する第２の片体１２とを、含んでなり、且つ第１の片体が第１の結合面に対応するエッジを、相対する第１の側部１１ａおよび第２の側部１１ｂと定義し、そして第２の片体が該第２の結合面に対応するエッジを、相対する第３の側部１２ａおよび第４の側部１２ｂと定義し、第４の側部が第２の側部に接続され、且つ第２の片体の一部分の構造が、第１の片体における第１の側部を凸向きに伸出することにより、作用部と見なし、被覆面がユーザーの口を遮蔽することにより、口腔の異常な匂いが鼻中へ直接に進入することを、避ける。【選択図】図１
0003196991.tif 000002
【実用新案登録請求の範囲】
【請求項１】
自身の口中からの異常な匂いの吸入を防止するマスクは、一つの第１の片体，一つの第２の片体，該第１の片体に結合された一つの第１の着用部と該第２の片体に結合された一つの第２の着用部を含んでなり、該第１の片体が、ユーザーの口を遮蔽するために用いられる一つの被覆面と、該被覆面に相対する一つの第１の結合面とを有し、且つ該第１の結合面に対応するエッジを、相対する一つの第１の側部および一つの第２の側部と定義し、該第２の片体が第２の結合面を一つ有し、そして該第２の結合面に対応するエッジを、相対する一つの第３の側部および一つの第４の側部と定義し、該第４の側部が該第２の側部に接続され、且つ該第２の片体の一部分の構造が、該第１の片体における該第１の側部を凸向きに伸出することにより、一つの作用部と見なし、該ユーザーが該作用部に対し、折畳み及び回復動作を行うように供し、該作用部を折り畳む時に、該ユーザーの鼻孔を露出でき、該作用部を回復する時に、該ユーザーの鼻孔を遮蔽でき、該第１の着用部により該第１の片体を該ユーザーの体上に着用し、更に該第２の着用部により該第２の片体を該ユーザーの体上に着用することを特徴とする、自身の口中からの異常な匂いの吸入を防止するマスク。
【請求項２】
複数個の突出部を更に含んでなり、該複数個の突出部を該第１の結合面の上に設置することにより、該第２の片体に該第１の片体を重ねて被覆する時に、該複数個の突出部を利用し、該第１の片体と該第２の片体との間に、隙間を一つ形成することを特徴とする、請求項１に記載の自身の口中からの異常な匂いの吸入を防止するマスク。
【請求項３】
該第１の片体が、長方形のシート状であることを特徴とする、請求項１に記載の自身の口中からの異常な匂いの吸入を防止するマスク。
【請求項４】
該第２の片体が、長方形のシート状であることを特徴とする、請求項１に記載の自身の口中からの異常な匂いの吸入を防止するマスク。
【請求項５】
該第１の着用部が、一つの糸製のハンギングリングで、該ユーザーの両耳上に着用するために供することを特徴とする、請求項１に記載の自身の口中からの異常な匂いの吸入を防止するマスク。
【請求項６】
該第２の着用部が、一つの糸製のハンギングリングで、該ユーザーの両耳上に着用するために供することを特徴とする、請求項１に記載の自身の口中からの異常な匂いの吸入を防止するマスク。
【請求項７】
該第２の片体の第３の側部に設置された固定部を、更に含んでなることを特徴とする、請求項１に記載の自身の口中からの異常な匂いの吸入を防止するマスク。
【考案の詳細な説明】
【技術分野】
【０００１】
本考案は、マスクに関するもので、特に口・鼻を被覆する時に口腔の異常な匂いが鼻中へ直接に進入することを、避けるマスクの改善構造に関するものである。
【背景技術】
【０００２】
健康および衛生を講じる現代的な環境中において、人々が益々生活環境の衛生に対して重視し、最も直接かつ有効な方式が、つまりマスクの着用である。以前に病院または診療所に勤める看護師のみがマスクを着用する状況を、よく比較的に見えるが、後で衛生に対する要求により、勤務時に飲食業の従業員がマスクを着用する状況も、次第に普及する。
【０００３】
マスクの値段が安くなり、且つ飛沫感染を隔離できるので、病気時に数多くの人も、マスクを着用することにより、病気のウィルスが周辺の人々に影響を及ぼすことを、避けてもよい。上記に言及した原因以外に、政府機関も、民衆が公共交通機関を搭乗する時に、体調が少し悪くなると感じる限り、直ちにマスクを着用し、或いは感染を避けるために、マスクをも着用することにより、自身の衛生および健康を維持できることを、励ます。
【０００４】
目前に市場上では販売されるマスクが、何れも単一の生地素材により一体成型され、且つ該生地素材の両側に、それぞれ着用構造を設けてあり、使用時に着用構造をユーザーの両耳に固定することにより、該マスクがユーザーの口・鼻を遮蔽する。
【考案の概要】
【考案が解決しようとする課題】
【０００５】
然しながら、人々の口腔は、食べ物の残留物・屑が唾液の分解を受け入れるので、或いは飲用水以外の飲み物（例えばコーヒー又は酒）を飲むので、口腔から異常な匂いを生成する可能性があるが、マスクが口・鼻を同時に遮蔽するので、ユーザーがマスクを着用する時に、更に話し合う時に、自身の口腔の異常な匂いを嗅ぎやすくなることにより、不快感を感じる。
【課題を解決するための手段】
【０００６】
故に、本考案の提供する、自身の口中からの異常な匂いの吸入を防止するマスクは、第１の片体と第２の片体を含んでなり、該第１の片体が、ユーザーの口を遮蔽するために用いられる被覆面と、該被覆面に相対する第１の結合面とを有し、且つ該第１の結合面に対応するエッジを、相対する第１の側部および第２の側部と定義し、該第２の片体が第２の結合面を有し、そして該第２の結合面に対応するエッジを、相対する第３の側部および第４の側部と定義し、該第４の側部が該第２の側部に接続され、且つ該第２の片体の一部分の構造が、該第１の片体における第１の側部を凸向きに伸出することにより、作用部と見なし、ユーザーが該作用部に対し、折畳み回復動作を行って鼻孔を露出または遮蔽するように供する。
【０００７】
その他に、該マスクは、複数個の突出部を更に含んでなり、該複数個の突出部を該第１の結合面の上に設置することにより、該第２の片体に該第１の片体を重ねて被覆する時に、該複数個の突出部を利用し、該第１の片体と第２の片体との間に、隙間を形成することにより、第１の片体と第２の片体との間に、換気に用いられる隙間を形成でき、従ってユーザーが換気を感じ、蒸し暑い不快感がない。
【考案の効果】
【０００８】
以上より了解できるように、本考案のマスクは、ユーザーの口部の上縁を密着した第１の片体と、第１の片体の上に重ねて被覆された第２の片体との設計により、ユーザーが口と鼻を同時に遮蔽でき、且つ口腔より散布された異常な匂いが、同時に第１の片体により隔離され、ひいては口腔の異常な匂いが、鼻の中へ直接に進入できない。
【図面の簡単な説明】
【０００９】
【図１】本考案の自身の口中からの異常な匂いの吸入を防止するマスクの斜視図である。
【図２Ａ】本考案の自身の口中からの異常な匂いの吸入を防止するマスクを、使用する使用模式図である。
【図２Ｂ】本考案の自身の口中からの異常な匂いの吸入を防止するマスクを、使用する使用模式図である。
【図２Ｃ】本考案の自身の口中からの異常な匂いの吸入を防止するマスクを、使用する使用模式図である。
【図２Ｄ】本考案の自身の口中からの異常な匂いの吸入を防止するマスクを、使用する使用模式図である。
【図３】本考案の自身の口中からの異常な匂いの吸入を防止するマスクの使用模式図である。
【図４Ａ】本考案の自身の口中からの異常な匂いの吸入を防止するマスクの第２の実施例の模式図である。
【図４Ｂ】本考案の自身の口中からの異常な匂いの吸入を防止するマスクの第２の実施例の模式図である。
【図５Ａ】本考案の自身の口中からの異常な匂いの吸入を防止するマスクの第３の実施例の斜視図である。
【図５Ｂ】図５Ａに示す第１の片体上における突出部の平面図である。
【考案を実施するための形態】
【００１０】
図１を参照して示すように、本考案のマスク１は、一つの第１の片体１１，一つの第２の片体１２，第１の着用部１３と第２の着用部１４を含んでなる。
【００１１】
前述の第１の片体１１が、長方形のシート状で（但し、更に他の形状、例えば円形であってもよい）、それが相対する一つの被覆面１１１と第１の結合面１１２を有し、且つ該第１の片体１１が該第１の結合面１１２（又は該被覆面１１１）に対応するエッジを、相対する第１の側部１１ａ（例えば上側縁部）および第２の側部１１ｂ（例えば下側縁部）と定義し、且つ該第１の側部１１ａと第２の側部１１ｂに接続してある左側１１ｃ及び右側１１ｄを、定義する。
【００１２】
前述の第２の片体１２が、長方形のシート状で（但し、更に他の形状、例えば円形であってもよい）、それが該第１の結合面１１２に対応する第２の結合面１２１を有し、そして該第２の片体１２が該第２の結合面１２１に対応するエッジを、相対する第３の側部１２ａおよび第４の側部１２ｂと定義し、且つ該第３の側部１２ａと第２の側部１２ｂに接続してある左側１２ｃ及び右側１２ｄを、定義し、方向上では、該第３の側部１２ａと第４の側部１２ｂが、それぞれ該第１の側部１１ａと第２の側部１１ｂに対応し、該第４の側部１２ｂが該第２の側部１１ｂに接続されることにより、該マスク１を使用する時に、該第２の片体１２がその第２の結合面１２１により該第１の結合面１１２の上に重ねて被覆されるが、即ち該第１の片体１１と該第２の片体１２が互いに重ね合わせ、且つ該第２の片体１２の一部分の構造が、該第１の片体１１における第１の側部１１ａを凸向きに伸出することにより、作用部１２０と定義することを、意図する。
【００１３】
前述の第１の着用部１３及び第２の着用部１４が、糸製のハンギングリングであってもよく、異なる適当な材質により製成できるが、但し他の実施例の中において、更に他の形式であってもよく、ここに特別な制限がない。該第１の着用部１３が、該第１の片体１１の左側１１ｃの第１の側部１１ａ及び右側１１ｄの端部に接続でき、且つ該第１の片体１１の右側１１ｄ箇所にも、同様に他の同じ第１の着用部１３を接続する。そして該第２の着用部１４が、該第２の片体１２の左側１２ｃの第３の側部１２ａ及び第４の側部１２ｂの端部に接続でき、且つ該右側１２ｄも、同様に他の同じ第２の着用部１４を接続する。然しながら、第１の着用部１３及び第２の着用部１４の設置方式が、異なる設計により相違でき、以上の形式に限定されない。
【００１４】
本考案のマスク１を使用する時に、併せて図２Ａ乃至図２Ｄを参照するが、図２Ａに示すように、ユーザー２が、該第１の片体１１の被覆面１１１にてユーザー２の下顔面を遮蔽することにより、該被覆面１１１が口部を遮蔽でき、且つ該第１の片体１１の第１の着用部１３が、それぞれユーザー２の両耳に着用されることにより、該第１の片体１１が頭部に固定でき、且つ該第１の側部１１ａが、ユーザー２の口部上縁に密着される。
【００１５】
引き続いて、図２Ｂに示すように、ユーザー２が、該第１の片体１１の第２の側部１１ｂに接続された該第２の片体１２を、該第１の片体１１の第１の結合面１１２の上に重ねて被覆することにより、該第１の片体１１と該第２の片体１２が互いに重ね合わせる。
【００１６】
その後に、例えば図２Ｃと図２Ｄに示すように、ユーザー２が、該第２の片体１２の第２の着用部１４を、それぞれユーザー２の両耳に着用し、そして例えば該第２の片体１２の第３の側部１２ａが例えば鉄線である固定部１２２を有する時に、ユーザー２が、次に該固定部１２２を変形させることにより、該第３の側部１２ａをユーザー２の顔部に貼り付けてもよい。従って本考案のマスク１は、ユーザー２の口部上縁に密着された第１の片体１１により、従来の技術において単一の片体を使用して口・鼻を被覆する時に、口腔の異常な匂いが鼻中へ直接に進入する欠点を、避ける。図３を参照するが、他の使用状態中において、ユーザー２が他人と話し合う時でも、該第２の片体１２の作用部１２０を折り返すことにより、鼻孔２０を外向きに露出できる。その後に、会話が終了する時に、例えば図２Ｄに示すように、該第２の片体１２が原状に回復できる。
【００１７】
従ってユーザー２が、該作用部１２０に対し、折畳み及び回復動作を行ってもよいが、該作用部１２０を折り畳む時に、該ユーザーの鼻孔２０を露出でき、該作用部１２０を回復する時に、該ユーザーの鼻孔２０を遮蔽できる。具体的に該第２の片体１２の材質および構造には特別な制限がなく、但し該作用部１２０を折り返し且つ回復できる必要があり、弾性構造がより好ましい。
【００１８】
図４Ａと図４Ｂを参照するが、これらが本考案の自身の口中からの異常な匂いの吸入を防止するマスクの第２の実施例の模式図である。例えば図４Ａに示すように、本考案の第２の実施例のマスク１と図１に示す第１の実施例との相違は、第２の片体１２の作用部１２０が適当で且つ鼻部を被覆できる形状となることにあり、そして第１の着用部１３と第２の着用部１４が糸製のハンギングリングである状況下では、該第１の着用部１３が、該第１の片体１１の左側１１ｃの第１の側部１１ａ及び第２の側部１１ｂの端部に接続でき、且つ該右側１１ｄも、同様に他の同じ第１の着用部１３を接続し、該第２の着用部１４が、該第２の片体１２の左側１２ｃの第４の側部１２ｂの端部に接続でき、更に該第４の側部１２ｂと該作用部１２０の下縁との間の該第２の片体１２の側辺に介在でき、且つ該右側１２ｄも、同様に他の同じ第２の着用部１４を接続する。そして例えば図４Ｂに示す本考案の更なる他の様態のマスク１において、図４Ａとの相違は、該第２の着用部１４が段線１３１であることにあり、該段線１３１が、該第１の着用部１３に接続でき、更に該第４の側部１２ｂと該作用部１２０の下縁との間の該第２の片体１２の側辺に介在でき、且つ他側にも、同じ方式により段線１３１を設けてある。
【００１９】
例えば以上に述べた図４Ａ及び図４Ｂに示す本考案の更なる他の様態のマスク１は、第１の片体１１がユーザー２の口部上縁を密着する状況下では、口腔の異常な匂いが鼻中へ直接に進入することを、避けてもよく、且つ該作用部１２０が、比較的緩い力によりユーザー２の顔部に被覆でき、ひいてはユーザー２の呼吸に影響を及ぼさない。
【００２０】
図５Ａ及び図５Ｂを参照するが、本考案の提供するマスクの第３の実施例の主要な構造と図１に示すマスクの第１の実施例がだいたい同じで、以下に異なる箇所のみについて詳しく説明するが、該第１の結合面２１２の上に複数個の突出部２４を更に設置することにより、該第２の片体２２に該第１の片体２１を重ねて被覆する時に、該複数個の突出部２４を利用し、該第１の片体２１と第２の片体２２との間に、隙間を形成することにより、外部の空気が該第１の片体２１と第２の片体２２との間に流れ込む効果を提供し、ひいてはユーザーが換気をを感じ、蒸し暑い不快感がない。
【００２１】
該突出部２４の材質が設計に基づいて変更でき、特別な制限がなく、然しながら該突出部２４の材質が選択可能にプラスッチク材質であってもよく、或いは該第１の片体２１が圧延を経って該第１の結合面２１２の上に形成でき、且つ該突出部２４の数および排列も設計に基づいて変更でき、特別な制限がない。該突出部２４の数および排列が、該左側２１ｃから右側２１ｄまでの該第１の側部２１ａ、第２の側部２１ｂ（該第１の片体２１と該第２の片体２２との接続する部分に隣接する）及び第１の側部２１ａと第２の側部２１ｂとの中間線の均一に排列する１５個の該突出部２４（即ち一列が５個の該突出部２４を有し、且つ三列がある）に沿って、且つ該左側２１ｃから計算し始める２行目および４行目の該第１の側部２１ａと該中間線との間および該第２の側部２１ｂと該中間線との間には、該突出部２４を更に形成できるが（即ち４個を更に増加する）、従って該突出部２４の総計が１９個であることにより、該第２の片体２２の中央区域が、密集する十分な該突出部２４を取得して支持でき、或いは該左側２１ｃから右側２１ｄまでの該第１の側部２１ａ、第２の側部２１ｂ（該第１の片体２１と該第２の片体２２との接続する部分に隣接する）及び第１の側部２１ａと第２の側部２１ｂとの中間線の均一に排列する１５個の該突出部２４（即ち一列が５個の該突出部２４を有し、且つ三列がある）に沿うことにより、該第２の片体２２が、依然として密集する十分な該突出部２４を取得して支持できるが、従って該第１の片体２１と第２の片体２２との間には、隙間をまだ構成しない区域を、具備しなく、ひいては理想的な換気効果を達成し、或いは該突出部２４の数および排列も、更に該左側２１ｃから右側２１ｄまでの該第１の側部２１ａ、第２の側部２１ｂ（該第１の片体２１と該第２の片体２２との接続する部分に隣接する）及び第１の側部２１ａと第２の側部２１ｂとの中間の均一に排列する９個の該突出部２４（即ち一列が３個の該突出部２４を有し、且つ三列がある）に沿うことが出来、或いは該突出部２４の数および排列が、更に他の種類の設計であってもよいが、但し注意に値するのは、どんな設計にも拘わらず、いずれ該第１の結合面２１２の上に、中央区域がより好ましく該突出部２４を設置することにより、該突出部２４が、該第１の結合面２１２の周囲エッジに設置された他の該突出部２４と併せて、該第２の片体２２を上向きに支持できることにより、外部の空気が該第１の片体２１の中央区域へ到達でき、これにより十分な換気効果を取得する。
【００２２】
以上の叙述を総合し、本考案のマスクを使用するユーザーが他人と話し合う時に、ユーザーの口部の上縁を密着する第１の片体により、第２の片体にて被覆された鼻部は、自身の口腔から発出された異常な匂いを嗅ぐことが出来なく、且つ第１の結合面の上に設置された突出部の設計により、第１の片体と第２の片体との間に、換気に用いられる隙間を形成できるが、従ってユーザーが換気を感じてもよく、蒸し暑い不快感がなく、そのために慣用のマスクが換気の不可能によりユーザーに蒸し暑い不快感を及ぼす問題の生成を、解決できる。  
【符号の説明】
【００２３】
１  マスク
２  ユーザー
１１  第１の片体
１１ａ  第１の側部 
１１ｂ  第２の側部
１１ｃ  左側
１１ｄ  右側
１２  第２の片体  
１２ａ  第３の側部 
１２ｂ  第４の側部
１２ｃ  左側
１２ｄ  右側
１３  第１の着用部  
１４  第２の着用部
２０  鼻孔
２１  第１の片体
２１ａ  第１の側部 
２１ｂ  第２の側部
２１ｃ  左側
２１ｄ  右側
２２  第２の片体
２４  突出部
１１１  被覆面
１１２  第１の結合面
１２０  作用部
１２１  第２の結合面
１２２  固定部
１３１  段線
２１２  第１の結合面
【図１】
0003196991.tif 000003
【図２Ａ】
0003196991.tif 000004
【図２Ｂ】
0003196991.tif 000005
【図２Ｃ】
0003196991.tif 000006
【図２Ｄ】
0003196991.tif 000007
【図３】
0003196991.tif 000008
【図４Ａ】
0003196991.tif 000009
【図４Ｂ】
0003196991.tif 000010
【図５Ａ】
0003196991.tif 000011
【図５Ｂ】
0003196991.tif 000012